(57)【要約】【課題】装飾品固定テープから装飾品が脱落してしまうことを抑制することができる装飾品固定テープを提供すること。【解決手段】装飾品を使用者の耳朶に貼り付けるための装飾品固定テープであって、装飾品が貼り合わされる第１テープと耳朶に貼り付けられる第２テープとを備え、第１テープの一面と第２テープの一面とが互いに貼り合わされて各他面をそれぞれ粘着面とする両面テープ構造に構成されるとともに、第１テープの大きさよりも第２テープの大きさが大きく形成されて第１テープの外周から第２テープの外周縁部がはみ出されている。【選択図】図３
2020081679.tif 000002
【特許請求の範囲】
【請求項１】
装飾品を使用者の耳朶に貼り付けるための装飾品固定テープであって、
装飾品が貼り合わされる第１テープと耳朶に貼り付けられる第２テープとを備え、
前記第１テープの一面と前記第２テープの一面とが互いに貼り合わされて各他面をそれぞれ粘着面とする両面テープ構造に構成されるとともに、前記第１テープの大きさよりも前記第２テープの大きさが大きく形成されて前記第１テープの外周から前記第２テープの外周縁部がはみ出されている、ことを特徴とする装飾品固定テープ。
【請求項２】
前記第２テープは、前記第１テープよりも径方向に１ｍｍから５ｍｍの範囲で大きく形成され、前記外周縁部の全体がはみ出すように互いに貼り合わされている、ことを特徴とする請求項１に記載の装飾品固定テープ。
【請求項３】
前記第１テープの外郭形状と前記第２テープの外郭形状とが同一形状とされ、かつ、前記外周縁部の全体がはみ出し量が均一である、ことを特徴とする請求項１又は請求項２に記載の装飾品固定テープ。
【請求項４】
前記第１テープには、テープ基材層の両面に粘着層を備える両面粘着テープが用いられており、
前記第２テープには、テープ基材層の片面に粘着層を備える医療用片面粘着テープが用いられており、
前記第１テープの一面の粘着層に前記第２テープが貼り合わされて、前記第１テープの他面の粘着層と前記第２テープの他面の粘着層とがそれぞれ前記粘着面とされている、ことを特徴とする請求項１〜請求項３の何れか1項に記載の装飾品固定テープ。
【請求項５】
前記第１テープは、ビニル系樹脂、ポリステレン系樹脂、オレフィン系樹脂、ポリエステル系樹脂、ナイロン系樹脂、ポリウレクン系樹脂、アクリル系樹脂、の少なくとも一つを主成分とするシート材からなるテープ基材層と、当該テープ基材層の前記一面及び前記他面の両面に、アクリル系を材料とする粘着剤からなる粘着層と、を備える両面粘着テープが用いられており、
前記第２テープは、不織布、ビニル系樹脂、ポリスチレン系樹脂、オレフィン系樹脂、ポリエステル系樹脂、ナイロン系樹脂、ポリウレタン系樹脂、アクリル系樹脂、の少なくとも一つを主成分とするシート材からなるテープ基材層と、当該テープ基材層の前記他面に、アクリル系、ウレタン系、シリコン系、ゴム系、の何れかを材料とする粘着剤からなる粘着層と、を備える医療機器の生体適合性評価に関するＩＳＯ１０９９３に準拠した医療用片面粘着テープが用いられており、
前記第１テープの一面の粘着層に前記第２テープが貼り合わされて、前記第１テープの他面の粘着層と前記第２テープの他面の粘着層とがそれぞれ前記粘着面とされている、ことを特徴とする請求項１〜請求項３の何れか１項に記載の装飾品固定テープ。
【請求項６】
前記第１テープの粘着層の粘着力が前記第２テープの粘着層の粘着力よりも高い、ことを特徴とする請求項４又は請求項５に記載の装飾品固定テープ。
【請求項７】
前記第１テープの粘着層の粘着力は８．２Ｎ／ｃｍ以上であり、
前記第２テープの粘着層の粘着力は４．０〜４．５Ｎ／ｃｍの範囲内にある、ことを特徴とする請求項６に記載の装飾品固定テープ。
【発明の詳細な説明】
【技術分野】
【０００１】
本発明は、装飾品固定テープに関し、特に、装飾品を使用者の耳朶に固定するための装飾品固定テープに関する。
【背景技術】
【０００２】
従来から、再利用可能な疑似宝石等の装飾品をピアスのように耳朶に固定するために、全体として両面に粘着面を備えた両面テープ構造が採用された装飾品固定テープが知られている。
【０００３】
また、このような装飾品固定テープには、合成樹脂プレートを挟んで２枚の粘着テープを用いることにより保形性を確保したものが知られている（例えば、特許文献１参照）。
【０００４】
そして、合成樹脂プレートの両面に各粘着テープが貼り合わされた後、打ち抜き加工によって所定形状（例えば、真円形状や星型形状）に打ち抜かれている。この際、各粘着テープの双方は、同一形状・同一サイズで打ち抜き加工されている。
【０００５】
このように同一形状・同一サイズに打ち抜き加工された装飾品固定テープにあっては、装飾品が一方の粘着テープの他面に貼り合わされ、耳朶には他方の粘着テープの粘着面が貼り付けられる。
【０００６】
ここで、装飾品には、単に疑似宝石等のアクセサリーが一方の粘着テープの他面に直接貼り合わされている場合のほか、例えば、疑似宝石等のアクセサリーが直径２ｍｍから１０ｍｍ程度の薄肉金属プレートの表面に装着されたうえで、その金属プレートの裏面が一方の粘着テープの他面に貼り合わされるとともに、金属プレートにチェーン等を介して揺動アクセサリーが付帯される場合もある（例えば、特許文献２参照）。なお、以下の説明においては、これらアクセサリー、金属プレート、及び、揺動アクセサリー、の全体を示す場合を「装飾品」と総称する。
【先行技術文献】
【特許文献】
【０００７】
【特許文献１】特許５６６９９７３号公報
【特許文献２】実用新案登録３１９９１４９号公報
【発明の概要】
【発明が解決しようとする課題】
【０００８】
ところが、装飾品固定テープにおける粘着面は、適用される粘着剤の性質上、接着剤とは異なってせん断粘着力、すなわち、垂直方向に引っ張られる力に対して脆弱であるという欠点を有している。
【０００９】
しかも、装飾品固定テープを用いて装飾品を耳朶に固定した状態で歩行等をすると、耳朶の柔軟性に起因して揺れが発生するうえ、特に、揺動アクセサリーを金属プレートに付帯した場合には、揺動アクセサリーが様々な方向に揺れるために、大きなモーメントの揺動加重が働くこととなる。
【００１０】
これにより、装飾品固定テープを介して装飾品が耳朶に固定されると、例えば、歩行等の人体側（耳朶）から発生する揺れや揺動アクセサリーの揺れに伴う揺動負荷が装飾品固定テープに伝わってしまう。このような揺動負荷は、装飾品が装飾品固定テープから脱落してしまう要因となっていた。
【００１１】
本発明の課題は、上述のような課題を解決するために、装飾品固定テープから装飾品が脱落してしまうことを抑制することができる装飾品固定テープを提供することにある。
【課題を解決するための手段】
【００１２】
本発明に係る装飾品固定テープは、上記目的を達成のため、装飾品を使用者の耳朶に貼り付けるための装飾品固定テープであって、装飾品が貼り合わされる第１テープと耳朶に貼り付けられる第２テープとを備え、前記第１テープの一面と前記第２テープの一面とが互いに貼り合わされて各他面をそれぞれ粘着面とする両面テープ構造に構成されるとともに、前記第１テープの大きさよりも前記第２テープの大きさが大きく形成されて前記第１テープの外周から前記第２テープの外周縁部がはみ出されている、ものである。
【００１３】
本発明に係る装飾品固定テープは、２種類の異なる第１テープの一面と第２テープの一面との貼り合わせにより、第１テープの他面の粘着面に装飾品が貼り合わされた状態で第２テープの他面の粘着面が耳朶に貼り付けられることにより、耳朶に装飾品を固定することができる。また、第１テープと第２テープとの大きさについては、第１テープの大きさよりも第２テープの大きさが大きく形成されている。これにより、第１テープの外周から第２テープの外周縁部がはみ出されている。
【００１４】
請求項２記載の発明は、前記第２テープは、前記第１テープよりも径方向に１ｍｍから５ｍｍの範囲で大きく形成され、前記外周縁部の全体がはみ出すように互いに貼り合わされている、ものである。
【００１５】
したがって、第１テープの外周からは、径方向に１ｍｍから５ｍｍの範囲で第２テープの外周縁部の全体がはみ出している。
【００１６】
請求項３記載の発明は、前記第１テープの外郭形状と前記第２テープの外郭形状とが同一形状とされ、かつ、前記外周縁部の全体がはみ出し量が均一である。
【００１７】
したがって、第１テープの外郭形状と第２テープの外郭形状とは同一形状とされていることにおり、そのはみ出し量も均一とすることができる。
【００１８】
請求項４記載の発明は、前記第１テープには、テープ基材層の両面に粘着層を備える両面粘着テープが用いられており、前記第２テープには、テープ基材層の片面に粘着層を備える医療用片面粘着テープが用いられており、前記第１テープの一面の粘着層に前記第２テープが貼り合わされて、前記第１テープの他面の粘着層と前記第２テープの他面の粘着層とがそれぞれ前記粘着面とされている、ものである。
【００１９】
したがって、第１テープと第２テープとを貼り合わせる場合には、テープ基材層の両面に粘着層を備える両面粘着テープである第１テープの一面に設けた粘着面からなる粘着層に、テープ基材層の片面に粘着層を備える医療用片面粘着テープである第２テープの一面の非粘着面が貼り合わされる。すなわち、第１テープの外周からはみ出している第２テープの一面の外周縁部は非粘着面となっている。
【００２０】
請求項５記載の発明は、前記第１テープは、ビニル系樹脂、ポリステレン系樹脂、オレフィン系樹脂、ポリエステル系樹脂、ナイロン系樹脂、ポリウレクン系樹脂、アクリル系樹脂、の少なくとも一つを主成分とするシート材からなるテープ基材層と、当該テープ基材層の前記一面及び前記他面の両面に、アクリル系を材料とする粘着剤からなる粘着層と、を備える両面粘着テープが用いられており、前記第２テープは、不織布、ビニル系樹脂、ポリスチレン系樹脂、オレフィン系樹脂、ポリエステル系樹脂、ナイロン系樹脂、ポリウレタン系樹脂、アクリル系樹脂、の少なくとも一つを主成分とするシート材からなるテープ基材層と、当該テープ基材層の前記他面に、アクリル系、ウレタン系、シリコン系、ゴム系、の何れかを材料とする粘着剤からなる粘着層と、を備える医療機器の生体適合性評価に関するＩＳＯ１０９９３に準拠した医療用片面粘着テープが用いられており、前記第１テープの一面の粘着層に前記第２テープが貼り合わされて、前記第１テープの他面の粘着層と前記第２テープの他面の粘着層とがそれぞれ前記粘着面とされている、ものである。
【００２１】
したがって、第１テープと第２テープとを貼り合わせる場合には、テープ基材層の両面に粘着層を備える両面粘着テープである第１テープの一面に設けた粘着面からなる粘着層に、テープ基材層の片面に粘着層を備える医療用片面粘着テープである第２テープの一面の非粘着面が貼り合わされる。すなわち、第１テープの外周からはみ出している第２テープの一面の外周縁部は非粘着面となっている。したがって、第１テープ及び第２テープの各テープ基材層並びに粘着層として、用途に応じた材料が選択されている。
【００２２】
請求項６記載の発明は、前記第１テープの粘着層の粘着力が前記第２テープの粘着層の粘着力よりも高い、ものである。
【００２３】
したがって、装飾品が貼り合わされる第１テープの粘着層の粘着力の方が、耳朶に貼り付けられる第２テープの粘着層の粘着力よりも高くなっている。
【００２４】
請求項７記載の発明は、前記第１テープの粘着層の粘着力は８．２Ｎ／ｃｍ以上であり、前記第２テープの粘着層の粘着力は４．０〜４．５Ｎ／ｃｍの範囲内にある、ものである。
【００２５】
したがって、装飾品が貼り合わされる第１テープの粘着層の粘着力は、耳朶に貼り付けられる第２テープの粘着層の粘着力に対して倍以上の粘着力を確保している。
【発明の効果】
【００２６】
本発明によれば、第１テープの大きさよりも第２テープの大きさが大きく形成されて第１テープの外周から第２テープの外周縁部がはみ出されていることにより、使用者の歩行等に伴って発生する、柔らかい耳朶の揺れと、硬い金属プレートに加わる揺動アクセサリーの揺れと、に対する力のモーメントを広い面積の第２テープの粘着面で吸収し、装飾品固定テープから装飾品が脱落してしまうことを抑制することができる。
【００２７】
請求項２記載の発明にあっては、第１テープの外周からは、径方向に１ｍｍから５ｍｍの範囲で第２テープの外周縁部の全体がはみ出していることにより、装飾品に対する耳朶側の粘着面における力のモーメントの吸収性を確保することができ、装飾品固定テープから装飾品が脱落してしまうことを効率よく抑制することができる。
【００２８】
請求項３記載の発明にあっては、第１テープの外郭形状と第２テープの外郭形状とを同一形状とすることで外周縁部のはみ出し量を均一とすることができる。
【００２９】
請求項４記載の発明にあっては、第１テープの外周からはみ出している第２テープの一面の外周縁部を非粘着面とすることにより、第２テープの外周縁部が第１テープに貼り付いてしまうこと、並びに、第２テープの外周縁部に使用者の髪の毛が貼り付いてしまう事態を抑制することができる。
【００３０】
請求項５記載の発明にあっては、第１テープ及び第２テープの各テープ基材層並びに粘着層として、用途に応じた材料を選択することにより、汎用性を向上することができる。
【００３１】
請求項６記載の発明にあっては、装飾品が貼り合わされる第１テープの粘着層の粘着力の方が、耳朶に貼り付けられる第２テープの粘着層の粘着力よりも高くなっていることにより、耳朶から第２テープを引き剥がす際に第１テープから装飾品が脱落してしまうことを抑制することができる。
【００３２】
請求項７記載の発明にあっては、装飾品が貼り合わされる第１テープの粘着層の粘着力は、耳朶に貼り付けられる第２テープの粘着層の粘着力に対して倍以上の粘着力を確保していることにより、耳朶から第２テープを引き剥がす際に第１テープからの装飾品の脱落抑制効果を容易に確保することができる。
【図面の簡単な説明】
【００３３】
【図１】本発明に係る装飾品固定テープの一実施の形態における使用者の耳朶に装飾品を固定した使用例を示す説明図である。
【図２】本発明に係る装飾品固定テープの一実施の形態における装飾品との関係を示し、（Ａ）は装飾品の正面図、（Ｂ）は未使用時の装飾品固定テープの側面図、（Ｃ）は一方の剥離紙を剥がした状態の装飾品固定テープの側面図、（Ｄ）は装飾品を装飾品固定テープに貼り合わせた状態の側面図、である。
【図３】本発明に係る装飾品固定テープの一実施の形態を示し、（Ａ）は第１テープ及び第２テープの詳細構成を示す拡大側面図、（Ｂ）は装飾品固定テープ平面図、である。
【図４】本発明に係る装飾品固定テープの一実施の形態を示し、（Ａ）は１シート状態の装飾品固定テープシートの平面図、（Ｂ）はミシン目を示す装飾品固定テープの側面図、（Ｃ）はシートのミシン目から装飾品固定テープを切り離した状態の説明図、である。
【図５】本発明に係る装飾品固定テープの一実施の形態における粘着力試験の条件一覧の説明図である。
【図６】本発明に係る装飾品固定テープの一実施の形態における粘着力試験結果の一覧を示す説明図である。
【図７】本発明に係る装飾品固定テープにおける第２テープの正面形状を正方形（ひし形）とした場合における装飾品との関係を示す装飾品の正面図である。
【図８】本発明に係る装飾品固定テープにおける第２テープの正面形状を正八角形（正多角形）とした場合における装飾品との関係を示す装飾品の正面図である。
【発明を実施するための形態】
【００３４】
次に、本発明に係る一実施の形態について図面を参照して説明する。
【００３５】
図１に示すように、使用者Ｐの耳朶には、装飾品Ｊが装飾品固定テープ１を介して固定されている。
【００３６】
図２（Ａ）に示すように、本実施の形態において装飾品Ｊは、例えば、疑似宝石等のアクセサリー１１が直径３ｍｍから６ｍｍ程度の薄肉の金属プレート１２の表面に装着されたうえで、金属プレート１２にチェーン１３を介して揺動アクセサリー１４が付帯されている。なお、以下の説明においては、これらアクセサリー１１、金属プレート１２、チェーン１３、及び、揺動アクセサリー１４、の全体を示す場合を「装飾品Ｊ」と総称する。なお、単に、疑似宝石等のアクセサリー１１が金属プレート１２に設けられ、チェーン１３及び揺動アクセサリー１４が無い場合、大小複数のアクセサリー１１を金属プレート１２に設けた場合、のように装飾品Ｊそのものは限定されるものではない。
【００３７】
図２（Ｂ）に示すように、装飾品固定テープ１は、特性の異なる第１テープ２０と第２テープ３０とを各一面を貼り合わせもので、未使用時においては第１テープ２０の他面と第２テープ３０の他面とに剥離紙２，３が設けられている。
【００３８】
図２（Ｃ）に示すように、第１テープ２０の他面を保護する剥離紙２は、装飾品Ｊの金属プレート１２を貼り合わせる際に剥がされ、図２（Ｄ）に示すように、第１テープ２０の他面に金属プレート１２が一致するように貼り合わされる。そして、第２テープ３０の剥離紙３を引き剥がせば、第２テープ３０の他面を耳朶に貼り付けることにより、装飾品Ｊを耳朶に固定することができる。
【００３９】
図３（Ａ）に示すように、第１テープ２０には、テープ基材層２１の両面に粘着層２２，２３を備える両面粘着テープが用いられている。具体的には、スリーエムジャパン株式会社製の両面粘着テープを用いている。
【００４０】
この第１テープ２０としての両面粘着テープは、テープ基材層２１に不織布基材を用いた両面粘着テープとされ、低ＶＯＣのアクリル系感圧性粘着剤を両面に使用し、テープ総厚１５０μｍ、剥離紙厚１１０μｍ、接着力８．２Ｎ／ｃｍ（対ステンレス板）、テープ色無色半透明、のものを用いることができる。
【００４１】
これにより、テープ基材層２１の一方の粘着層２２の表面２２ａは、第１テープ２０の一面に位置する粘着面となっている。同様に、テープ基材層２１の他方の粘着層２３の表面２３ａは、第１テープ２０の他面に位置する粘着面となっている。
【００４２】
第１テープ２０は、高強度の特殊不織布基材を用いることにより、装飾品Ｊを再利用するために第１テープ２０から引き剥がすときにちぎれにくく、第１テープ２０からきれいに装飾品Ｊを剥離することが可能であり、金属プレート１２が変形したりすることなく、装飾品Ｊの再利用が可能となっている。また、剥離紙２に、シリコーン処理平面紙等のＰＥＴセパレータを適用して粘着層２３に一時貼付すれば、剥離紙２を剥がし易くすることができ、第２テープ３０の剥離紙３の剥離強度（粘着力）よりも低い剥離強度（粘着力）とすることで、装飾品Ｊを貼り合わせるために剥離紙２を先に剥がすことができる。
【００４３】
図３（Ａ）に示すように、第２テープ３０であるテープ基材層３１の片面に粘着層３２を備える医療用片面粘着テープには、医療機器の生体適合性評価に関するＩＳＯ１０９９３に準拠したものが用いられている。具体的には、スリーエムジャパン株式会社製の皮膚貼付用粘着テープを用いている。
【００４４】
この皮膚貼付用粘着テープは、ポリエチレンフィルム基材の防水性の高い片面粘着テープとされ、皮膚貼付用アクリル系粘着剤を使用し、粘着層厚４０μｍ、テープ基材厚９０μｍ、テープ総厚１３０μｍ、剥離紙厚１２０μｍ、接着力４．０Ｎ／ｃｍ、テープ基材色無色、のものを用いることができる。
【００４５】
これにより、テープ基材層３１の表面３１ａは、第２テープ３０の一面に位置する非粘着面となっている。同様に、テープ基材層３１の他方の粘着層３２の表面３１ａは、第２テープ３０の他面に位置する粘着面となっている。
【００４６】
そして、図３（Ｂ）に示すように、第１テープ２０の一面（２２ａ）と第２テープ３０の一面（３１ａ）とが互いに貼り合わされて各他面（２３ａ，３２ａ）をそれぞれ粘着面とする両面テープ構造に構成され、かつ、第１テープ２０の外郭形状と第２テープ３０の外郭形状とが同一形状（例えば、略真円）とされるとともに、第１テープ２０の大きさよりも第２テープ３０の大きさが大きく形成されて第１テープ２０の外周２４から第２テープ３０の外周縁部３３が均一な所定幅Ｗだけはみ出されている。なお、以下の説明においては、この第１テープ２０の外周２４から第２テープ３０の外周縁部３３がはみ出されている状態を「オフセット構造」とも称する。
【００４７】
一方、図４（Ａ）に示すように、第１テープ２０と第２テープ３０とを備える装飾品固定テープ１は、例えば、矩形の剥離紙３に対して縦横方向に複数設けられている。
【００４８】
そして、図４（Ｂ）に示すように、剥離紙３には、例えば、行又は列方向で分離可能となるようにミシン目Ｃが形成されているとともに、その内側に第２テープ３０の中心付近に延びるスリットＳが形成されている。スリットＳは、１個分の装飾品固定テープ１を剥離紙３から剥離し易くするためのものである。
【００４９】
したがって、図４（Ｃ）に示すように、装飾品Ｊは、剥離紙２を第１テープ２０から引き剥がした後に、アクセサリー１１と一緒に金属プレート１２を第１テープ２０と一致するように指等で押さえ付け（太矢印参照）て貼り合わせたうえで、スリットＳを引き裂くように剥離紙３を広げることにより、装飾品Ｊを貼り合わせた１個分の装飾品固定テープ１が剥離紙３から剥がすことができる。
【００５０】
この際、剥離紙２と剥離紙３とは、上述したように先に剥離紙２を第１テープ２０から引き剥がす必要があるため、第１テープ２０に対する剥離紙２の粘着力は、第２テープ３０に対する剥離紙３の粘着力よりも弱いのが好ましい。
【００５１】
次に、従来の装飾品固定テープを比較例の被着体とし、上記実施の形態で示した装飾品固定テープ１を実施例の被着体とし、装飾品Ｊを振動試験装置に各被着休〈※１〉を介して貼付固定して加速試験を行い、各被着体に貼付固定した装飾品Ｊが脱落するまでの時間の計測実験を行った。
【００５２】
なお、今回の計測試験では、設定したパラメーター（※２〉での各計測は６００秒で終了とし、装飾品が脱落するまでパラメーターを高負荷方向へ振り続ける限界試験とする。
【００５３】
各被着体の性能差が明確に判断できる結果、すなわち、どれか１つが最後まで残っている状態が得られた時点で、そのパラメーターを限界ポイントとして設定し、同じパラメーターで４回のテストデータを得たものである。
【００５４】
また、上記※１では、被着体にはよりテープが剥がれやすい条件を再現するために表面にシリコーン処理が施された剥離ライナーを使用した。また、上記※２では、パラメーターとして、振動数〈Ｈｚ〉、加速度〈Ｇ〉を振り、結果か出ない場合には、図５の各種条件の一覧に示す重りを追加することとした。
【００５５】
今回の試験を行った結果、図６に示すように、実施例と比較例との貼付保持時間に、明確な差が出ることが判明した。また、今回の試験では、疑似の装飾品Ｊとして重りを追加して通常時の装飾品Ｊ重量０．８ｇに対して１０．８ｇの過重状態としても、歩数の平均値の年次推移（性別・年齢階級別）２０１６年度結果における女性全般の平均値６２３１歩を参考に設定した５５００回振動に耐え得ることが判明した。この結果は、安全係数の視点から見ても実施例と比較例とで明確な優位さがあることが判明した。なお、評価の結果、図６で示す結果に基づいて統計学上の信頼性に関するＰ値（Ｐ−Ｖａｌｕｅ）を算出した結果、比較基準値０．０５に対して、実施例は０．０１４と大きく下回っており、本試験データに「統計学的有意差がある」と判断することができる結果を得ることができた。
【００５６】
このように、装飾品固定テープ１は、装飾品Ｊを使用者の耳朶に貼り付けるための装飾品固定テープ１であって、装飾品Ｊが貼り合わされる第１テープ２０と耳朶に貼り付けられる第２テープ３０とを備え、第１テープ２０の一面と第２テープ３０の一面とが互いに貼り合わされて各他面をそれぞれ粘着面とする両面テープ構造に構成され、かつ、第１テープ２０の外郭形状と第２テープ３０の外郭形状とが同一形状とされるとともに、第１テープ２０の大きさよりも第２テープ３０の大きさが大きく形成されて第１テープ２０の外周２４から第２テープ３０の外周縁部３３がはみ出されている、オフセット構造を採用したものである。
【００５７】
すなわち、装飾品固定テープ１は、２種類の異なる第１テープ２０の一面と第２テープ３０の一面との貼り合わせにより、第１テープ２０の他面の粘着面に装飾品Ｊが貼り合わされた状態で第２テープ３０の他面の粘着面が耳朶に貼り付けられることにより、耳朶に装飾品Ｊを固定することができる。また、第１テープ２０の外郭形状と第２テープ３０の外郭形状とは同一形状とされている。この際、外郭形状そのものは同一であるものの、第１テープ２０と第２テープ３０との大きさについては、第１テープ２０の大きさよりも第２テープ３０の大きさが大きく形成されている。これにより、第１テープ２０の外周２４から第２テープ３０の外周縁部３３がはみ出されている。
【００５８】
したがって、第１テープ２０の外郭形状と第２テープ３０の外郭形状とが同一形状とされるとともに、第１テープ２０の大きさよりも第２テープ３０の大きさが大きく形成されて第１テープ２０の外周２４から第２テープ３０の外周縁部３３がはみ出されていることにより、使用者の歩行等に伴って発生する、柔らかい耳朶の揺れと、硬い金属プレート１２に加わる揺動アクセサリー１４の揺れと、に対する力のモーメントを広い面積の第２テープ３０の粘着面で吸収し、装飾品固定テープ１から装飾品Ｊが脱落してしまうことを抑制することができる。
【００５９】
また、第２テープ３０は、第１テープ２０よりも径方向に１ｍｍから５ｍｍの範囲で大きく形成され、外周縁部３３の全体がはみ出すように互いに貼り合わされている、ものである。
【００６０】
したがって、第１テープ２０の外周２４からは、径方向に１ｍｍから５ｍｍの範囲で全体がはみ出すように第２テープ３０の外周縁部３３がはみ出している。
【００６１】
このように、第１テープ２０の外周２４からは、径方向に１ｍｍから５ｍｍの範囲で全体がはみ出す、特に、全体が均一にはみ出すように第２テープ３０の外周縁部３３がはみ出していることにより、装飾品Ｊに対する耳朶側の粘着面における力のモーメントの吸収性を均一化することができ、装飾品固定テープ１から装飾品Ｊが脱落してしまうことを効率よく抑制することができる。
【００６２】
また、第１テープ２０には、テープ基材層２１の両面に粘着層２２，２３を備える両面粘着テープが用いられており、第２テープ３０には、テープ基材層３１の片面に粘着層３２を備える医療用片面粘着テープが用いられており、第１テープ２０の一面の粘着層２２に第２テープ３０のテープ基材層２１の非粘着面が貼り合わされて、第１テープ２０の他面の粘着層２３と第２テープ３０の他面の粘着層３２とがそれぞれ粘着面とされている、ものである。
【００６３】
したがって、第１テープ２０と第２テープ３０とを貼り合わせる場合には、テープ基材層２１の両面に粘着層２２，２３を備える両面粘着テープである第１テープ２０の一面に設けた粘着面（２２ａ）からなる粘着層２２に、テープ基材層３１の片面に粘着層３２を備える医療用片面粘着テープである第２テープ３０の一面の非粘着面が貼り合わされる。すなわち、第１テープ２０の外周２４からはみ出している第２テープ３０の一面の外周縁部３３は非粘着面となっている。
【００６４】
したがって、第１テープ２０の外周２４からはみ出している第２テープ３０の一面の外周縁部３３を非粘着面とすることにより、第２テープ３０の外周縁部３３が第１テープ２０に貼り付いてしまうこと、並びに、第２テープ３０の外周縁部３３に使用者の髪の毛が貼り付いてしまう事態を抑制することができる。
【００６５】
また、第１テープ２０は、不織布、ビニル系樹脂、ポリステレン系樹脂、オレフィン系樹脂、ポリエステル系樹脂、ナイロン系樹脂、ポリウレクン系樹脂、アクリル系樹脂、の少なくとも一つを主成分とするシート材からなるテープ基材層２１と、当該テープ基材層２１の一面及び他面の両面に、アクリル系、ウレタン系、シリコン系、合成ゴム系の何れかを材料とする粘着剤からなる粘着層２２，２３と、を備える両面粘着テープが用いられており、第２テープ３０は、不織布、ビニル系樹脂、ポリスチレン系樹脂、オレフィン系樹脂、ポリエステル系樹脂、ナイロン系樹脂、ポリウレタン系樹脂、アクリル系樹脂、の少なくとも一つを主成分とするシート材からなるテープ基材層３１と、当該テープ基材層３１の他面に、アクリル系、ウレタン系、シリコン系、ゴム系、の何れかを材料とする粘着剤からなる粘着層３２と、を備える医療機器の生体適合性評価に関するＩＳＯ１０９９３に準拠した医療用片面粘着テープが用いられており、第１テープ２０の一面の粘着層２２に第２テープ３０が貼り合わされて、第１テープ２０の他面の粘着層２３と第２テープ３０の他面の粘着層３２とがそれぞれ粘着面とされている、ものである。
【００６６】
したがって、第１テープ２０と第２テープ３０とを貼り合わせる場合には、テープ基材層２１の両面に粘着層２２，２３を備える両面粘着テープである第１テープ２０の一面に設けた粘着面からなる粘着層２２に、テープ基材層３１の片面に粘着層３２を備える医療用片面粘着テープである第２テープ３０の一面の非粘着面が貼り合わされる。すなわち、第１テープ２０の外周２４からはみ出している第２テープ３０の一面の外周縁部３３は非粘着面となっている。したがって、第１テープ２０及び第２テープ３０の各テープ基材層２１，３１並びに粘着層２２，２３，３１として、用途に応じた材料が選択されている。
【００６７】
このように、第１テープ２０及び第２テープ３０の各テープ基材層２１，３１並びに粘着層２２，２３，３２として、用途に応じた材料を選択することにより、汎用性を向上することができる。
【００６８】
また、第１テープ２０の粘着層２３の粘着力が第２テープ３０の粘着層３２の粘着力よりも高い、ものである。
【００６９】
したがって、装飾品Ｊが貼り合わされる第１テープ２０の粘着層２３の粘着力の方が、耳朶に貼り付けられる第２テープ３０の粘着層３２の粘着力よりも高くなっている。
【００７０】
このように、装飾品Ｊが貼り合わされる第１テープ２０の粘着層２３の粘着力の方が、耳朶に貼り付けられる第２テープ３０の粘着層３２の粘着力よりも高くなっていることにより、耳朶から第２テープ３０を引き剥がす際に第１テープ２０から装飾品Ｊが脱落してしまうことを抑制することができる。
【００７１】
また、第１テープ２０の粘着層の粘着力は８．２Ｎ／ｃｍ以上であり、第２テープ３０の粘着層の粘着力は４．０〜４．５Ｎ／ｃｍの範囲内にある、ものである。
【００７２】
したがって、装飾品Ｊが貼り合わされる第１テープ２０の粘着層２３の粘着力は、耳朶に貼り付けられる第２テープ３０の粘着層３２の粘着力に対して倍以上の粘着力を確保している。
【００７３】
このように、装飾品Ｊが貼り合わされる第１テープ２０の粘着層２３の粘着力は、耳朶に貼り付けられる第２テープ３０の粘着層３２の粘着力に対して倍以上の粘着力を確保していることにより、耳朶から第２テープ３０を引き剥がす際に第１テープ２０からの装飾品Ｊの脱落抑制効果を容易に確保することができる。
【００７４】
本実施の形態に掛かる装飾品固定テープ１は、第１テープ２０と第２テープ３０との間にオフセット構造を採用し、特に、直径の差を１ｍｍ以内とすることにより、装飾品Ｊを耳朶に固定した場合に、テープ色を透明としたことと相俟って、第１テープ２０の外周２４からはみ出した第２テープ３０の外周縁部３３が目立つことなく、硬い金属プレート１２を耳朶に固定した状態であっても、金属プレート１２が第２テープ３０から容易に脱落してしまうことを抑制することができる。
【００７５】
ところで、本発明の装飾品固定テープ１は、上記の実施の形態に限定されるものでなく、特許請求の範囲に記載した技術的範囲には、発明の要旨を逸脱しない範囲内で種々、設計変更した形態が含まれる。
【００７６】
例えば、上記実施の形態では、第２テープ３０としてスリーエムジャパン株式会社製の皮膚貼付用粘着テープを用いたものを例示したが、例えば、スリーエムジャパン株式会社製の皮膚貼付用粘着テープ＃１５０３を用いてもよい。この皮膚貼付用粘着テープ＃１５０３は、接着力４．５Ｎ／ｃｍ、テープ基材色薄茶色、である以外の条件は上記＃１５２６と同一である。なお、粘着層を構成する粘着剤には、上記のほか、アクリル系、ウレタン系、シリコン系、ゴム系、の何れかを材料とする粘着剤を用いることができる。
【００７７】
［アクリル系粘着剤］
アクリル系粘着剤はアクリルポリマーからなる粘着剤です。モノマーの種類の選択、ポリマーの分子量、架橋密度、などの条件を設定することにより粘着物性を制御することができる。また、透明性、耐熱性、耐候性に優れ、粘着力のレンジが広く、弱粘着タイプから強粘着タイプまで自由度が高い。このため、再剥離性が必要な装飾品固定テープ１としての利便性を高く確保することができる。
【００７８】
［ウレタン系粘着剤］
ウレタン系粘着剤は、イソシアネート基とヒドロキシ基をもつ化合物同士を縮合し得られるポリウレタンからなる粘着剤である。貼り付け時における被粘着面との間の空気抜け性に優れているうえ、被粘着面に糊残りすることなく剥がせるため、再剥離性が必要な装飾品固定テープ１としての利便性を高く確保することができる。
【００７９】
［シリコン系粘着剤］
シリコン系粘着剤は、シロキサン結合を主骨格にもつポリマーからなる粘着剤である。使用可能温度の範囲が広く、耐薬品性、耐水性にも優れている。特に、微粘着タイプの場合、貼り付け時における被粘着面との間の空気抜け性に優れており、気泡が入ることなく貼り付けることができるため、耳朶のような柔軟な被粘着面に対する粘着性を高く確保することができる。
【００８０】
［ゴム系粘着剤］
天然ゴム由来の粘着剤の流動性は、他の物質であれば固まってもろくなってしまうような低温下でも失われ難いという特性を有している。天然ゴムは非常に長い高分子鎖から成り立っており、これを樹脂と混合すると粘性がでるため、鎖分子の長さと流動性のおかげで非常に柔軟な粘着剤とすることができる。したがって、耳朶のような柔軟な被粘着面に対する粘着性を高く確保することができる。なお、ゴム系粘着剤には、弾力性並びに柔軟性を備えたものであれば、シリコンゴム等の他、ニトリルゴム系や合成ゴムを用いてもよい。
【００８１】
したがって、これら各種の第２テープ３０の粘着層には、例えば、適用されるアクセサリーの大きさや数等、或いは、使用者の居住地域又は季節等、の利用目的に対応するように各種のテープ基材層の大きさや形状等とした場合に、その利用目的に応じた粘着剤を適宜利用することができる。
【００８２】
なお、上記実施の形態では、第２テープ３０の正面視形状を、第１テープ２０の正面視形状と同一の円形（真円形）とした場合で示したが、第１テープ２０の大きさよりも第２テープ３０の大きさが大きく形成されて第１テープ２０の外周から第２テープ３０の外周縁部３３の全体がはみ出されていれば、例えば、図７に示すように、第２テープ３０の正面形状を正方形（ひし形）とした場合、或いは、図８に示すように、第２テープ３０の正面形状を正八角形（正多角形）とした場合、のように同一形状でなくてもよい。
【００８３】
この際、図7に示した正方形（ひし形）、或いは、図８に示した正八角形のように、第１テープ２０の外周から第２テープ３０の外周縁部３３のはみ出し量の多い角部付近を、使用者Ｐを基準として上下方向並びに前後方向に位置するように装飾品Ｊを第1テープ２０に貼り合わせることにより、使用者Ｐが歩行しているときなどの装飾品Ｊの重量や揺れ等に起因する力のモーメントの吸収性を局所的に高く確保することができる。
【００８４】
なお、この場合においても、第２テープ３０は、第１テープ２０よりも径方向に最大で５ｍｍ程度の範囲で全体がはみ出す大きさ及び形状とするのが望ましい。
【符号の説明】
【００８５】
１        装飾品固定テープ
２        剥離紙
３        剥離紙
１１        アクセサリー
１２        金属プレート
１３        チェーン
１４        揺動アクセサリー
２０        第１テープ
２１        テープ基材層
２２        粘着層
２２ａ    表面
２３        粘着層
２３ａ    表面
２４        外周
３０        第２テープ
３１        テープ基材層
３１ａ    表面
３２        粘着層
３３        外周縁部
Ｃ        ミシン目
Ｊ        装飾品
Ｐ        使用者
Ｓ        スリット
Ｗ        所定幅
【図１】
2020081679.tif 000003
【図２】
2020081679.tif 000004
【図３】
2020081679.tif 000005
【図４】
2020081679.tif 000006
【図５】
2020081679.tif 000007
【図６】
2020081679.tif 000008
【図７】
2020081679.tif 000009
【図８】
2020081679.tif 000010